(57)【要約】【課題】  アンテナの向きを任意に変更可能とし、不要な際にはコンパクトに収納可能とする。【解決手段】  バーアンテナを備えされるアンテナ装置である。バーアンテナは、基端部において回動可能に支持されている。具体的には、バーアンテナは、基端部に回動軸が挿入される回動支持部を有し、この回転支持部がスプリングワッシャーを介して回動軸であるネジにより固定具の取り付け部に回動可能にネジ止め固定されている。あるいは、基端部がボールジョイントにより回動可能に支持されている。バーアンテナは、例えば衛星ラジオ受信用アンテナとＦＭラジオ受信用アンテナを一体化した構成としてもよい。【選択図】  図１ 
2005109600.tif 000002
【特許請求の範囲】
【請求項１】
バーアンテナを備えるアンテナ装置であって、前記バーアンテナは、基端部において回動可能に支持されており、複数のアンテナが一体化されていることを特徴とするアンテナ装置。
【請求項２】
前記バーアンテナは、基端部に回動軸が挿入される回動支持部を有し、この回転支持部がスプリングワッシャーを介して回動軸であるネジにより固定具の取り付け部に回動可能にネジ止め固定されていることを特徴とする請求項１記載のアンテナ装置。
【請求項３】
前記バーアンテナは、基端部の端面が固定具に突き当たることにより回動が規制されることを特徴とする請求項２記載のアンテナ装置。
【請求項４】
前記バーアンテナは、基端部がボールジョイントにより回動可能に支持されていることを特徴とする請求項１記載のアンテナ装置。
【請求項５】
前記バーアンテナは、ＦＭラジオ受信用アンテナと、衛星ラジオ受信用アンテナが一体化されたものであることを特徴とする請求項１記載のアンテナ装置。
【請求項６】
前記衛星ラジオ受信用アンテナは、ポールアンテナであることを特徴とする請求項５記載のアンテナ装置。
【請求項７】
前記ＦＭラジオ受信用アンテナは伸縮自在なロッドアンテナであり、縮めた時に前記ポールアンテナ内に収容されることを特徴とする請求項６記載のアンテナ装置。
【発明の詳細な説明】
【技術分野】
【０００１】
本発明は、各種電波を受信するためのアンテナ装置に関するものであり、指向性に応じて任意の角度に調整可能で、邪魔な時にはコンパクトに収納可能なアンテナ装置に関する。
【背景技術】
【０００２】
近年、カーラジオやＥＴＣをはじめ、各種電波を受信してドラーバーや搭乗者に情報を提供する様々な車載機器が開発されており、これに応じて、電波を受信するためのアンテナ装置を車両に取り付ける必要が生じている。（特許文献１参照）
【０００３】
また、ポータブルタイプの衛星ラジオ受信装置においては、衛星ラジオ放送に加えＡＭラジオ、ＦＭラジオの各電波を受信する複数のアンテナ装置を取り付ける必要がある。
【特許文献１】特開２００３−６０４２７号
【発明の開示】
【発明が解決しようとする課題】
【０００４】
ところで、電子機器の多様化に伴い、アンテナ装置にも高性能化が要求されており、例えば、最適な受信感度が得られるように、アンテナの向きを変更し得ることが求められる。また、電子機器を使用しない場合、アンテナ装置が邪魔にならないように収納し得ることが望まれる。
また、各種電波を受信するために複数のアンテナが取り付けられているため本体機器の大型化を招くとともに装置外観も煩雑なものとなってしまう。
【０００５】
本発明は、このような要望に応えて提案されたものであり、アンテナの向きを任意に変更することができ、しかも、不要な際には折り曲げてコンパクトに収納することが可能なアンテナ装置を提供することを目的とする。
【課題を解決するための手段】
【０００６】
上述の目的を達成するために、本発明のアンテナ装置は、バーアンテナを備えるアンテナ装置であって、前記バーアンテナは、基端部において回動可能に支持されており、複数のアンテナが一体化されていることを特徴とするものである
【０００７】
具体的構成としては、バーアンテナは、基端部に回動軸が挿入される回動支持部を有し、この回転支持部がスプリングワッシャーを介して回動軸であるネジにより固定具の取り付け部に回動可能にネジ止め固定されている。あるいは、バーアンテナは、基端部がボールジョイントにより回動可能に支持されている。
【０００８】
このような構造を採用することにより、アンテナの向きを任意に変更することができる。すなわち、バーアンテナを回動操作することで、任意の角度に設定される。また、不要な際には、バーアンテナを倒しておくことで、無用な出っ張りが突出することがなくなり、バーアンテナはコンパクトに収納される。
【０００９】
また、バーアンテナは、例えばＦＭラジオ受信用アンテナと、衛星ラジオ受信用アンテナが一体化された構造とすることも可能であり、これにより、アンテナ一体化による低価格化及び省スペース化が実現される。
【発明の効果】
【００１０】
以上の説明からも明らかなように、本発明のアンテナ装置においては、例えば、最適な受信感度が得られるように、アンテナの向きを自由に設定することが可能である。
また、本発明のアンテナ装置によれば、不要な時には邪魔にならないように収納することも可能である。
【００１１】
さらに、本発明のアンテナ装置においては、複数種類の電波を受信するためのアンテナを一体化した複合バーアンテナとして構成することにより、アンテナ装置の低価格化や省スペース化を図ることが可能である。
【発明を実施するための最良の形態】
【００１２】
以下、本発明を適用したアンテナ装置について、図面を参照して詳細に説明する。
【００１３】
図１は、本発明を適用したアンテナ装置の一例を示すものである。このアンテナ装置は、電波を受信するためのバーアンテナ１と、これを支持する固定具２とからなる。車両、又は電子機器本体に対しては、この固定具２を介して取り付け固定される。
【００１４】
バーアンテナ１は、任意の長さを有する円柱棒状のアンテナ素子であり、ここで受信された電波が電気信号に変換され、ケーブル３を介して車両内、又は電子機器本体に導入される。
【００１５】
バーアンテナ１の基端部には、キャップ状の取り付け具４が填め込まれ、バーアンテナ１はこの取り付け具４を介して固定具２に取り付けられ、車両又は電子機器に装着される。
【００１６】
バーアンテナ１の基端部に填め込まれた取り付け具４は、固定具２に設けられた取り付け部の幅よりも少々大きな間隔をもって一対の回動支持部４ａを有しており、各回動支持部４ａには、前記固定具２の取り付け部に設けられた軸挿通孔と連通する軸挿通孔４ｂが穿設されている。
【００１７】
固定具２には、前述の通り、取り付け部５が一体的に設けられ、取り付け具４の回動支持部４ａに設けられた軸挿通孔４ｂと連通する軸挿通孔が設けられている。したがって、バーアンテナ１を固定具２に取り付ける場合、取り付け具４の回動支持部４ａに設けられた軸挿通孔４ｂと、固定具２の取り付け部５に設けられた軸連通孔とが連通するように取り付け部４、５を配置し、これら軸挿通孔にビス６を挿入し、ネジ止めする。固定具２は、固定用ビス７によって車両又は電子機器本体に固定される。
【００１８】
ここで、ビス６は、バーアンテナ１を回動操作する際の回動軸として機能する。本実施形態では、ビス６の取り付けに際して、取り付け部４、５において、それぞれスプリングワッシャ８を介在させている。このスプリングワッシャ８の働きにより、バーアンテナ１は、回動操作可能で、しかも角度設定後にはその状態を維持し得ることになる。すなわち、スプリングワッシャ８の働きにより取り付け部４、５間に付勢力が働くため、バーアンテナ１の回動が全くフリーの状態になているわけではなく、バーアンテナ１の角度は調整した位置で固定される。一方、前記付勢力に抗する力を加えれば、バーアンテナ１を回動させることが可能であり、任意の角度に設定したり、収納状態とすることができる。
【００１９】
なお、このバーアンテナ１は、１８０度任意の角度に設定できるわけではなく、角度調整範囲が９０度までに規制されている。図２は、バーアンテナ１の規制状態を示すものである。バーアンテナ１を回動操作していくと、図２に示すように、バーアンテナ１の基端側の端面が固定具２に突き当たる。そして、これ以上はバーアンテナ１の回動操作を行うことができなくなる。この場合には、バーアンテナ１の回動範囲は、直立状態（９０度）までに規制されることになる。この回動範囲の規制は、不要な方向への回動の規制、邪魔にならない範囲への規制等として有効である。
【００２０】
以上、本発明を適用したアンテナ装置の実施形態について説明してきたが、本発明がこの実施形態に限定されるものではなく、種々の変更が可能であることは言うまでもない。例えば、図３に示すように、バーアンテナ１の取り付け構造として、ボールジョイント１０を採用することも可能である。ボールジョイント１０は、バーアンテナ１側のボール部１１と、固定具側の受け部１２とからなり、バーアンテナ１を３次元的に任意の方向に向けることが可能である。
【００２１】
また、例えばポータブルタイプの衛星ラジオ受信装置においては、衛星ラジオ放送の受信のみならず、ＡＭラジオやＦＭラジオと組み合わせる場合がある。この場合、受信対象となるラジオ放送に応じて、アンテナを別個に搭載する必要がある。例えば、衛星ラジオ受信用アンテナとしてはポールアンテナやパッチアンテナ、ＦＭラジオ受信用アンテナとしてはロッドアンテナ、ＡＭラジオ受信用アンテナとしては内蔵バーアンテナ等を、それぞれ搭載する必要がある。
【００２２】
しかしながら、これらのアンテナを別個に搭載すると、低価格化や省スペース化の妨げになる。そこで、このような不都合を解消するために、前記バーアンテナ１を、複数のアンテナを一体化した構成とすることも可能である。
【００２３】
図４は、ＦＭラジオを受信するためのＦＭラジオ受信用アンテナと衛星ラジオを受信するための衛星ラジオ受信用アンテナとを一体化した複合バーアンテナ２１の一例を示すものである。この複合バーアンテナ２１は、図４（ａ）に示すように、外筒部分がポールアンテナ２２として構成され、衛星ラジオ受信用のポールアンテナとして機能し、この中に収納されるロッドアンテナ２３がＦＭラジオ受信用アンテナとして機能する。
【００２４】
ポールアンテナ２２は、図５に示すように、周面にスパイラル状のアンテナパターン２２ａが形成されており、所定の方向に指向性を有し、衛星からの信号を感度良く受信するアンテナとして構成されている。
【００２５】
ロッドアンテナ２３は、伸縮自在であり、ＦＭラジオを受信する場合には、図４（ｂ）に示すように、これをポールアンテナ２２内から引き出して使用する。複合バーアンテナ２１は、先の図１あるいは図３に示す構成により角度や方向を自在に設定することができる。したがって、ＦＭラジオを受信する場合には、ロッドアンテナ２３を引き伸ばし、ポールアンテナ２２と共に感度が最も高くなるように、その傾斜角度や方向を調節する。使用後には、ロッドアンテナ２３を縮め、図４（ａ）に示すように、ポールアンテナ２２内に収納する。これにより、コンパクトにロッドアンテナ２３を収納することが可能である。
【００２６】
このように、バーアンテナ１を、ポールアンテナ２２とロッドアンテナ２３を一体化した複合バーアンテナ２１として構成することにより、車載用アンテナ装置の低価格化や省スペース化を図ることが可能である。
【図面の簡単な説明】
【００２７】
【図１】本発明のアンテナ装置の構成を示す斜視図である。
【図２】バーアンテナの回動規制状態を示す斜視図である。
【図３】本発明のアンテナ装置の他の例を示す概略平面図である。
【図４】複合バーアンテナの一例を示すものであり、（ａ）はロッドアンテナを収納した状態を示す斜視図、（ｂ）はロッドアンテナを引き伸ばした状態を示す斜視図である。
【図５】複合バーアンテナの外筒部分としてのポールアンテナの一例を示す概略斜視図である。
【符号の説明】
【００２８】
１        バーアンテナ
２        固定具
４        取り付け部
４ａ      回動支持部
４ｂ      軸挿通孔
５        取り付け部
６        ビス
８        スプリングワッシャ
１０      ボールジョイント
２１      複合バーアンテナ
２２      ポールアンテナ
２３      ロッドアンテナ
【図１】
2005109600.tif 000003
【図２】
2005109600.tif 000004
【図３】
2005109600.tif 000005
【図４】
2005109600.tif 000006
【図５】
2005109600.tif 000007